【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
ａ．防錆組成物、および
ｂ．第四級アンモニウム塩
を含む、それらからなる、またはそれらから本質的になるコーティング組成物であって、
前記第四級アンモニウム塩は、
ｉ．四級化可能な化合物であって、
１．ヒドロカルビル置換基が約１００〜約５０００の数平均分子量を有するヒドロカルビル置換アシル化剤と、
２．前記ヒドロカルビル置換アシル化剤と反応することができる酸素または窒素原子を有し、さらに、少なくとも１個の四級化可能なアミノ基を有する窒素含有化合物と
の反応生成物である化合物；および
ｉｉ．前記窒素含有化合物の前記四級化可能なアミノ基を第四級窒素に変換するのに適した四級化剤
ｉｉｉ．潤滑粘度の油または揮発性希釈剤
の反応生成物を含む、コーティング組成物。
【請求項２】
前記四級化可能なアミノ基が、第一級、第二級または第三級アミノ基である、請求項１に記載のコーティング組成物。
【請求項３】
前記ヒドロカルビル置換アシル化剤が、ポリイソブテニルコハク酸無水物またはポリイソブテニルコハク酸である、請求項１に記載のコーティング組成物。
【請求項４】
前記四級化可能な化合物が、
ａ．ヒドロカルビル置換基が約１００〜約５０００の数平均分子量を有するヒドロカルビル置換アシル化剤、および
ｂ．前記ヒドロカルビル置換アシル化剤と反応して、イミドを形成することができる窒素原子を有し、さらに、少なくとも１個の四級化可能なアミノ基を有する窒素含有化合物
の反応生成物を含む、請求項１に記載のコーティング組成物。
【請求項５】
前記四級化可能な化合物が、
ａ．ヒドロカルビル置換基が約１００〜約５０００の数平均分子量を有するヒドロカルビル置換アシル化剤、および
ｂ．前記ヒドロカルビル置換アシル化剤と反応して、エステルまたはアミドを形成することができる酸素または窒素原子を有し、さらに、少なくとも１個の四級化可能なアミノ基を有する窒素含有化合物
の反応生成物を含む、請求項１に記載のコーティング組成物。
【請求項６】
前記窒素含有化合物が、下式の第三級アミノ基含有イミダゾール化合物：
【化３１】
2018536090.tif 000001
［式中、Ｒは、前記ヒドロカルビル置換アシル化剤と縮合することができ、３〜８個の炭素原子を有するアミンまたはアルカノールである］
である、請求項１に記載のコーティング組成物。
【請求項７】
前記窒素含有化合物が、
【化３２】
2018536090.tif 000002
［式中、各Ｒ１およびＲ２は個別に、Ｃ１〜Ｃ６ヒドロカルビル基であり、Ｒは、Ｃ１〜Ｃ６アルキル基であり、Ｒ３、Ｒ４、Ｒ５、およびＲ６のそれぞれは個別に、水素またはＣ１〜Ｃ６ヒドロカルビル基である］
である、請求項１に記載のコーティング組成物。
【請求項８】
前記四級化剤が、１つより多い（ａ）の四級化可能な化合物をカップリングすることができる、請求項１に記載のコーティング組成物。
【請求項９】
ａ）の化合物のｂ）の四級化剤に対する比が約２：１〜約１：１である、請求項８に記載のコーティング組成物。
【請求項１０】
前記四級化剤が、ポリエポキシド、ポリハライド、エポキシハライド、芳香族ポリエステル、およびその混合物から選択される、請求項８に記載のコーティング組成物。
【請求項１１】
前記四級化剤が、ジエポキシドまたはアルキルジハライドから選択される、請求項８に記載のコーティング組成物。
【請求項１２】
前記四級化剤が、１，４ブタンジオールジグリシジルエーテルまたはビスフェノールＡ−ジグリシジルエーテルから選択される、請求項８に記載のコーティング組成物。
【請求項１３】
前記四級化剤が、少なくとも１つのアルコール官能化エポキシド、Ｃ４〜Ｃ１４エポキシド、またはその混合物を含む、請求項１に記載のコーティング組成物。
【請求項１４】
前記四級化剤がグリシドールである、請求項１３に記載のコーティング組成物。
【請求項１５】
前記四級化剤がエポキシヘキサデカンである、請求項１３に記載のコーティング組成物。
【請求項１６】
前記四級化剤がブチレンオキシドを含む、請求項１３に記載のコーティング組成物。
【請求項１７】
前記四級化剤がプロトン性溶媒の存在下で使用される、請求項１３に記載のコーティング組成物。
【請求項１８】
前記プロトン性溶媒が、２−エチルヘキサノール、水、およびその混合物を含む、請求項１７に記載のコーティング組成物。
【請求項１９】
前記四級化剤が酸の存在下で使用される、請求項１３に記載のコーティング組成物。
【請求項２０】
前記酸がアシル化剤の構造で存在する、請求項１３に記載のコーティング組成物。
【請求項２１】
前記四級化剤が、ジアルキルスルフェート、アルキルハライド、ヒドロカルビル置換カーボネート、ヒドロカルビルエポキシド、カルボキシレート、アルキルエステルおよびその混合物から選択される、請求項１に記載のコーティング組成物。
【請求項２２】
少なくとも１つの他の添加剤をさらに含む、請求項１に記載のコーティング組成物。
【請求項２３】
前記少なくとも１つの他の添加剤が、少なくとも１つの非四級化ヒドロカルビル置換コハク酸を含む、請求項２２に記載のコーティング組成物。
【請求項２４】
前記ヒドロカルビル置換基が、約１００〜約５０００の分子量を有するポリイソブチレンである、請求項２３に記載のコーティング組成物。
【請求項２５】
金属表面に錆防止を与える方法であって、前記金属表面に、請求項１に記載の防錆組成物を適用することを含む、方法。
【請求項２６】
防錆組成物を含むコーティング組成物に水分離を与えるための、請求項１に記載の第四級アンモニウム塩の使用。
【手続補正２】
【補正対象書類名】明細書
【補正対象項目名】００２２
【補正方法】変更
【補正の内容】
【００２２】
この技術の別の態様は、防錆組成物を含むコーティング組成物に水分離を提供するための、本明細書に開示のとおりの第四級アンモニウム塩の使用を含む。
本発明は、例えば、以下を提供する：
（項目１）
ａ．防錆組成物、および
ｂ．第四級アンモニウム塩
を含む、それらからなる、またはそれらから本質的になるコーティング組成物であって、
前記第四級アンモニウム塩は、
ｉ．四級化可能な化合物であって、
１．ヒドロカルビル置換基が約１００〜約５０００の数平均分子量を有するヒドロカルビル置換アシル化剤と、
２．前記ヒドロカルビル置換アシル化剤と反応することができる酸素または窒素原子を有し、さらに、少なくとも１個の四級化可能なアミノ基を有する窒素含有化合物と
の反応生成物である化合物；および
ｉｉ．前記窒素含有化合物の前記四級化可能なアミノ基を第四級窒素に変換するのに適した四級化剤
の反応生成物を含む、コーティング組成物。
（項目２）
前記四級化可能なアミノ基が、第一級、第二級または第三級アミノ基である、項目１に記載のコーティング組成物。
（項目３）
前記ヒドロカルビル置換アシル化剤が、ポリイソブテニルコハク酸無水物またはポリイソブテニルコハク酸である、項目１または２に記載のコーティング組成物。
（項目４）
前記四級化可能な化合物が、
ａ．ヒドロカルビル置換基が約１００〜約５０００の数平均分子量を有するヒドロカルビル置換アシル化剤、および
ｂ．前記ヒドロカルビル置換アシル化剤と反応して、イミドを形成することができる窒素原子を有し、さらに、少なくとも１個の四級化可能なアミノ基を有する窒素含有化合物
の反応生成物を含む、項目１に記載のコーティング組成物。
（項目５）
前記四級化可能な化合物が、
ａ．ヒドロカルビル置換基が約１００〜約５０００の数平均分子量を有するヒドロカルビル置換アシル化剤、および
ｂ．前記ヒドロカルビル置換アシル化剤と反応して、エステルまたはアミドを形成することができる酸素または窒素原子を有し、さらに、少なくとも１個の四級化可能なアミノ基を有する窒素含有化合物
の反応生成物を含む、項目１に記載のコーティング組成物。
（項目６）
前記窒素含有化合物が、下式の第三級アミノ基含有イミダゾール化合物：
【化３１】
2018536090.tif 000003
［式中、Ｒは、前記ヒドロカルビル置換アシル化剤と縮合することができ、３〜８個の炭素原子を有するアミンまたはアルカノールである］
である、項目１から５のいずれかに記載のコーティング組成物。
（項目７）
前記窒素含有化合物が、
【化３２】
2018536090.tif 000004
［式中、各Ｒ１およびＲ２は個別に、Ｃ１〜Ｃ６ヒドロカルビル基であり、Ｒは、Ｃ１〜Ｃ６アルキル基であり、Ｒ３、Ｒ４、Ｒ５、およびＲ６のそれぞれは個別に、水素またはＣ１〜Ｃ６ヒドロカルビル基である］
である、項目１から５のいずれかに記載のコーティング組成物。
（項目８）
前記四級化剤が、１つより多い（ａ）の四級化可能な化合物をカップリングすることができる、項目１から７のいずれかに記載のコーティング組成物。
（項目９）
ａ）の化合物のｂ）の四級化剤に対する比が約２：１〜約１：１である、項目８に記載のコーティング組成物。
（項目１０）
前記四級化剤が、ポリエポキシド、ポリハライド、エポキシハライド、芳香族ポリエステル、およびその混合物から選択される、項目８または９に記載のコーティング組成物。
（項目１１）
前記四級化剤が、ジエポキシドまたはアルキルジハライドから選択される、項目８から１０のいずれかに記載のコーティング組成物。
（項目１２）
前記四級化剤が、１，４ブタンジオールジグリシジルエーテルまたはビスフェノールＡ−ジグリシジルエーテルから選択される、項目８から１１のいずれかに記載のコーティング組成物。
（項目１３）
前記四級化剤が、少なくとも１つのアルコール官能化エポキシド、Ｃ４〜Ｃ１４エポキシド、またはその混合物を含む、項目１から７のいずれかに記載のコーティング組成物。
（項目１４）
前記四級化剤がグリシドールである、項目１３に記載のコーティング組成物。
（項目１５）
前記四級化剤がエポキシヘキサデカンである、項目１３に記載のコーティング組成物。
（項目１６）
前記四級化剤がブチレンオキシドを含む、項目１３に記載のコーティング組成物。
（項目１７）
前記四級化剤がプロトン性溶媒の存在下で使用される、項目１３から１６のいずれかに記載のコーティング組成物。
（項目１８）
前記プロトン性溶媒が、２−エチルヘキサノール、水、およびその混合物を含む、項目１７に記載のコーティング組成物。
（項目１９）
前記四級化剤が酸の存在下で使用される、項目１３から１８のいずれかに記載のコーティング組成物。
（項目２０）
前記酸がアシル化剤の構造で存在する、項目１３から１８のいずれかに記載のコーティング組成物。
（項目２１）
前記四級化剤が、ジアルキルスルフェート、アルキルハライド、ヒドロカルビル置換カーボネート、ヒドロカルビルエポキシド、カルボキシレート、アルキルエステルおよびその混合物から選択される、項目１から７のいずれかに記載のコーティング組成物。
（項目２２）
少なくとも１つの他の添加剤をさらに含む、項目１から２１のいずれかに記載のコーティング組成物。
（項目２３）
前記少なくとも１つの他の添加剤が、少なくとも１つの非四級化ヒドロカルビル置換コハク酸を含む、項目２２に記載のコーティング組成物。
（項目２４）
前記ヒドロカルビル置換基が、約１００〜約５０００の分子量を有するポリイソブチレンである、項目２３に記載のコーティング組成物。
（項目２５）
希釈剤で希釈されている、項目１から２４のいずれかに記載のコーティング組成物。
（項目２６）
金属表面に錆防止を与える方法であって、前記金属表面に、項目１から２５のいずれかに記載の防錆組成物を適用することを含む、方法。
（項目２７）
防錆組成物を含むコーティング組成物に水分離を与えるための、項目１から２５のいずれかに記載の第四級アンモニウム塩の使用。